(57)【要約】【課題】パターン付きカーペットおよび方法【解決手段】色、パターン、デザインなどが、ジェット染色プロセス、または、シルクスクリーン印刷および輪転機印刷などを含むが、これに限らない他のいずれかの二次または後のパターン適用プロセスによって、カーペット基体に対して適用され、ここで前記カーペットにおけるヤーンは全て白色（染色が施されていない）であり、または前記ヤーンは単一色または多色に予め染色され、または前記ヤーンは化学的に処理される。例えば前記カーペットは、例えば従来のいずれの機織りプロセスまたは手織りプロセス、例えばウィルトン、アクスミンスター、スプール、スプールグリッパーおよびシュニール織機、ハンドガンタフト化された、または他のいずれかの従来の方法によって作られ得る。【特許請求の範囲】
【請求項１】
エリアラグ、ランナー、カーペット、ラグ、ブロードルーム、ウォールツーウォール、カーペットタイルなどのような、織物床張り材を製造する方法であって、
全て白色（染色が施されていない）、単一の色に予め染色されている、多色に予め染色されている、自然色、のうちの少なくとも１つであり、かつカーペットの選択されたエリアにて異なって染料を吸収するために化学的に処理されたヤーンで織物基体を織ること、
前記織物基体上に、背景色、デザイン、パターン、ボーダーなどのうちの少なくとも１つを染色またはプリントすること、および
染色またはプリントされた織物基体を、エリアラグ、ランナー、フロアマット、カーペットタイル、カーペット、ラグなどのような完成された品目または製品に裁断または形成すること、
の各工程を含む方法。
【請求項２】
前記織物基体は、織物カーペット基体である請求項１記載の方法。
【請求項３】
前記適用されるデザインのＤＰＩは、前記織物カーペット基体のＤＰＩよりも大きい請求項１記載の方法。
【請求項４】
前記デザインのＤＰＩは、少なくとも１０×１０であり、かつ前記織物カーペットのＤＰＩは１０×１０よりも小さい請求項３記載の方法。
【請求項５】
請求項１記載のプロセスによって製造されるエリアラグ、ランナー、フロアマット、カーペット、ラグなどのような織物床張り製品。
【請求項６】
全て白色（染色が施されていない）の、単一の色に予め染色されている、多色に予め染色されている、自然色の、化学的に処理されたヤーンなどのうちの少なくとも１つであるヤーンから織られた織物カーペット基体にプリントまたは染色された背景色、デザイン、パターン、オーバーカラーなどのうちの少なくとも１つを有する、ブロードルームカーペット、ウォールツーウォールカーペット、エリアラグ、カーペット、ラグ、ランナー、マット、ブロードルームなどのような、織物床張り材料または品目。
【請求項７】
エリアラグ、ランナー、カーペット、ラグ、ブロードルーム、ウォールツーウォール、カーペットタイルなどのような、サイザル状の織物床張り材を製造する方法であって、
全て白色（染色が施されていない）、単一の色に予め染色されている、多色に予め染色されている、自然色、のうちの少なくとも１つであり、かつカーペットの選択されたランダムまたは任意のエリアにて異なって染料を吸収するために化学的に処理されたヤーンで織物基体を織ること、
前記織物基体上に、背景色、デザイン、パターン、ボーダーなどのうちの少なくとも１つを染色またはプリントすること、および
染色またはプリントされた織物基体を、エリアラグ、ランナー、フロアマット、カーペットタイル、カーペット、ラグなどのような完成されたサイザル状の品目または製品に裁断または形成すること、
の各工程を含む方法。
【請求項８】
前記織物基体は、織物カーペット基体である請求項７記載の方法。
【請求項９】
前記適用されるデザインのＤＰＩは、前記織物カーペット基体のＤＰＩよりも大きい請求項７記載の方法。
【請求項１０】
前記デザインのＤＰＩは、少なくとも１０×１０であり、かつ前記織物カーペットのＤＰＩは１０×１０よりも小さい請求項９記載の方法。
【請求項１１】
請求項７記載のプロセスによって製造されるエリアラグ、ランナー、フロアマット、カーペット、ラグなどのようなサイザル状の床張り製品。
【請求項１２】
全て白色（染色が施されていない）の、単一の色に予め染色されている、多色に予め染色されている、自然色の、化学的に処理されたヤーンなどのうちの少なくとも１つであるヤーンから織られまたはヤーンでタフト化された、織物またはタフト化カーペット基体にプリントされまたは染色された背景色、デザイン、パターン、オーバーカラーなどのうちの少なくとも１つを有するブロードルームカーペット、ウォールツーウォールカーペット、エリアラグ、カーペット、ラグ、ランナー、マット、ブロードルームなどのようなサイザル状床張り材料または品目。
【請求項１３】
エリアラグ、ランナー、カーペット、ラグ、ブロードルーム、ウォールツーウォール、カーペットタイルなどのような、織物のように見える床張り材を製造する方法であって、
カーペットのランダムなまたは任意の選択されたエリアにて異なって染料を吸収するために、全て白色（染色が施されていない）の、単一の色に予め染色されている、多色に予め染色されている、かつ自然色のうちの少なくとも１つである表面ヤーンを有する基体を化学的に処理すること、
前記処理された基体上に、背景色、デザイン、パターン、ボーダーなどのうちの少なくとも１つを染色またはプリントすること、および
前記染色またはプリントされた基体を、エリアラグ、ランナー、フロアマット、カーペットタイル、カーペット、ラグなどのような完成された品目または製品に裁断しまたは形成すること、
の各工程を含む方法。
【請求項１４】
前記織物基体は、バンドルされ、タフト化されおよび織られたもののうちの少なくとも１つのカーペット基体である請求項１３記載の方法。
【請求項１５】
前記適用されるデザインのＤＰＩは、前記カーペット基体のＤＰＩよりも大きい請求項１３記載の方法。
【請求項１６】
請求項１３記載のプロセスによって製造されるエリアラグ、ランナー、フロアマット、カーペット、ラグなどのような床張り製品。
【発明の詳細な説明】
【０００１】
（関連出願の参照）
この出願は、２０００年１０月１７日に出願された米国仮特許出願シリアル番号第６０／２４１，１７０号に対する優先権およびそれの利益、並びに２０００年６月１３日に出願された米国仮特許出願シリアル番号第６０／２１１，２９５号の利益を請求しており、それらの両方共参照してここに組み込まれる。
【０００２】
（発明の分野）
本発明は、望ましくは織物カーペット、ここで前記カーペット内のヤーンが全て白色または明暗または色（染色が施されていない）であるか、ヤーンが化学的に処理されているか、またはヤーンが単一色または多色に予め染色されている、に対してジェット染色プロセス、または転写印刷、シルクスクリーン印刷および輪転機印刷などを含むが、これに限らない、他のいずれかの二次または後パターン適用プロセスによって、色、パターン、デザインなどを適用することに向けられたものである。一つの実施形態においては、望ましい織物カーペットは、サイザル状の外観または様子を有している。前記織物カーペットは、従来の機織りプロセスまたは手織りプロセス、例えばウィルトン、アクスミンスター、スプール、スプールグリッパーおよびシュニール織機、ハンドガンタフト化または他のいずれかの従来のカーペット織り法または方法によって作られることができる。
【０００３】
（発明の背景）
従来の手織りまたは機械織りサイザルマット、カーペットおよびラグは、その上にイメージを作成するためにアクリル絵の具で手彩色され、または織物サイザルにおいて非常に限定された色を許可する限定色巻糸軸架によって作られている。
【０００４】
古いカーペット織り手法には、問題もある。古い機械織り法を用いてデザインを創作することは、３つの面を持つ。
【０００５】
１．デザインの細かさおよび細部（インチあたりドット）は、織りの構造に結び付けられ、かつそれに依存する。
【０００６】
２．インチあたりドット（ＤＰＩ）のアスペクト比は任意であり、かつカーペット織物上で９０°にてデザインを回転させることを困難にする。
【０００７】
３．同一のデザインは、デザイン変更または本質的に各構造について新たなデザインなしに多重織物構造上に作られることができ、また織機を停止させることなしに多重織物構造上で連続的に同一のデザインを走らせることもできない。例えば同一のデザインは、織機を停止させることなしに同じ行程において織られたループまたはカットループ構造上には作られることができる。
【０００８】
前記３つの面の問題の詳細な説明
１）デザインの細かさおよび細部
従来のカーペットが織られるとき、デザインは予め彩色された（かせ染色された）ヤーンをワープおよびウェフト織り構造内に組み込むことにより創作される。デザインまたは表面パイルおよび裏打ち材は、織機の動作につれて、文字通り一度にかつ同時に作られる。結果は、美しいカーペットであるけれども、もしより低い価格点（より緩い構造、より軽い重量など）でカーペットを作ることを望むならば、デザインの審美的な細部は有意的に悪化するであろうという点で、重大な不利益がある。より緩い、より安価な、より軽い、そしてより低い価格点は、重量でほぼ２２から２４オンス、ヤーンカウント２／５６、パイル高さ０．２５インチ、そして５列当り７ピック／エンド構造のカーペット構造を引き合いにするときに使用される全て共通の言い方である。
【０００９】
より低いコストのカーペットを作るために、織り手はカーペットに使用される材料を低減し、換言すればより緩い構造としなければならない。そのようにすることにおいて、インチ当りのドットも、低減され、かつデザインの細部は非常に影響される。従来のカーペットでは、“より安価であればカーペットはより安っぽい外観である”。
【００１０】
典型的な低価格織物カーペット構造は、７ピック／エンド当り約５列、またはインチ当り３５ドットである。それゆえ、非常に低いインチ当りドット（ＤＰＩ）マトリクスはインチ当りドットがそれほど大きいので、でこぼこし、またはむらがある外観のデザインモチーフを与える。
【００１１】
最終結果は、市場アピールの少ない、“安っぽい外観のカーペット”、製品である。
【００１２】
２）インチ当りドットのアスペクト比は任意である。
【００１３】
これは、さらに従来のカーペットの織りの中に組み込まれたデザインの結果である。織機上の標準的なワープ設定は、典型的にはインチ当り７エンド（ピック）に固定さていれる。ウェフトは、可変、例えばインチ当り５，６，７，８，９，１０列である。それゆえ、カーペットの密度を変化させるために（より厚くまたはより薄く、より高価にまたはより高価でなくなど）、あなたはそのように安価なカーペットである７エンド当り５列（３５ＤＰＩ）、または非常に高価なカーペットである７エンド当り１０列（７０ＤＰＩ）の織物を作るであろう。非常に高価な、良好な品質、ハイエンド、そして高い価格点は、織物カーペット構造について全て共通の言い方であり、それは重量ほぼ３２〜３６オンス、ヤーンカウント２／５６、パイル高さ０．５０インチ、そしてインチ当り７×８から７×１０の列およびピックである。
【００１４】
問題は、インチ当りドットにおけるアスペクト比が存在することである。それらは、正方形ドットではないが長方形であり、例えば７エンド当り７列は正方形ドットであるが、７エンド当り１０列は長方形ドットである。これは、例えばラグを織るときに問題を生じる。
【００１５】
ドットのアスペクト比が長方形であるとき、ラグまたはデザインは一方向にのみ織られ得る。カーペット織物の使用を最大化するため、９０°において前記ラグまたはデザインを回転することはデザインを長さまたは幅方向のいずれかに前記デザインを歪ませる。うまく行く唯一のドットマトリクスは、７×７の正方形ドットであるが、そのときはラグを織るときに唯一つの価格点に結び付けられてしまう。
【００１６】
同一のデザインは、多重の従来の織り構造上に作られことができる。デザインと従来の織り構造とは、分離できないから異なる価格点（上述した通り、構造、より重い、より軽いなど）に同一のデザインを作成することはできない。明らかに、もしもデザインが１０×７ＤＰＩの織物上に作られるならば、５×７ＤＰＩ織物に変換したときにファクシミリのみが可能とされ得る細部の欠如によって、同一とされることはできない。
【００１７】
もしも織機上でカーペットを織っているならば、一度に単一の構造しか織ることはできない。織物カーペットの構造へ運転を変化させることはできず、その重量またはカットパイルからループパイルへ織り方を変更させることもできない。言い換えれば、１つの価格点（構造、より重い、より軽いなど）または１つのパイルタイプの従来のカーペットのみが、１つの織機上で一度に可能である。構造またはパイルタイプを変更するためには、前記織機は、停止されかつ調整されなければならず、それによって重大な非能率性を作る。
【００１８】
（発明の概要）
本発明の新たな方法またはカーペットは、先に述べた３つの面の問題の全てを除去またはそれに対処し、そして古い織り方、すなわち織物対タフト化カーペットの優れたカーペット構造、の最善の利益を得る。
【００１９】
１）デザインの繊細さと細部
本発明の一つの実施形態によれば、織物白色ヤーンカーペットはコンベヤーによってジェット染色パターニングアプリケーターの下を通る。前記カーペットは、所定の数のジェット染色ガンバーの下を通る。各ガンバーまたはカラーバーは、異なる染料色を保持する。デザインソフトウェアを用いて、ジェットは染料をカーペット上に射出し、そして無限の種類および色のデザインおよびパターンを形成する。染料は、それから固定され、乾燥されそして仕上げられる。本発明の利点は、デザインまたはパターニングが前記カーペット自体の構造（織り）から分離かつ独立したプロセスであることである。デザインのインチ当りのドット（ＤＰＩ）は、今、種々の重さ、構造厚みなどの織物カーペットがデザインを一貫して微細な細部からなるそれらに適用することができるように、カーペット（織りＤＰＩ）に独立に決定されることができる。例えばデザインは、今、例えば１０×１０、２０×２０、または４０×４０のＤＰＩを用いて作られ、かつ例えば５×７のみ、の構造を持つカーペットに適用されることができ、かつ前記デザインはもはや安っぽくかつでこぼこに見えない。また、ＤＰＩ２０×２０（４００）または４０×４０（１６００）は従来の織物用機織り機上で作ることはできず、１６×７または１１２ＤＰＩが従来の織物用機織り機の最大値である。
【００２０】
２）インチ当りドットのアスペクト比は任意である。
【００２１】
本発明のデザイン適用は、カーペット構造とは独立であるから、アスペクト比は正方形、例えば２０×２０ＤＰＩまたは１０×１０ＤＰＩとすることができる。それゆえ、ラグ、ランナーおよびボーダーを含む全てのタイプのデザインはデザインの歪みなしに、カーペットベースの利用を最大化すべく９０°にて回転させることができる。
【００２２】
３）同一のデザインが、多重織り構造上に作られ得る。
【００２３】
本発明のデザイン適用は、カーペット構造とは独立であるから、正確な同一デザインがいかなるカーペット構造、またはいかなるパイルタイプ（ループまたはカットパイルまたは組み合わせ）の上にも配置されることができ、かつデザインアプリケーター（ジェット染色マシン）を停止させることなく、同一の工程において多重の構造およびパイルタイプ連続的になされることができ、そのようにして古い方法にわたる有効性を有意的に改善する。
【００２４】
（発明の詳細な説明）
本発明の少なくとも一つの実施形態によれば、白色織物基体は２つ撚りのヤーン（２／５６は、オンスに対して５６ヤードを意味する）、ウール１００％、ナイロン１００％または他の後染め可能な合成のおよび／または天然のヤーン、またはナイロン８０％、ウール２０％などのような混合物で形成され、かつ７×４．５、７×５、７×６、７×７、７×８、７×９、７×１０、７×１２などの織り構造を有しており、最終効果を生成するために染色またはプリントされることができる（重ね染色または重ねプリントされた）白色ヤーンまたは無地色ヤーンからの織物であってもよい。例えば白色ヤーンが白色織物カーペット基体を製造するために使用されるとき、ラグの背景色はもしもその色が白色でないならば、デザインまたはパターンに沿ってプリントされる。また、もしも前記ヤーンが染色または彩色されたヤーン（溶液染色され、ヤーン染色され、自然に色付けられたなど）であるならば、デザインまたはパターンがその上にプリントされるが、背景色はヤーンそれ自体により既に作られている。白色または明るいあせた白色のヤーンを用いることが好ましい。
【００２５】
図面の図１について、かつ本発明の一つの実施形態に関してカーペット基体は、織物であり、このカーペット基体は選択された断片、タイルなどに裁断され、それから前記裁断された断片の各々は染色またはプリントされる。
【００２６】
図面の図２について、かつ本発明の他の実施形態に関してカーペット基体は、織物であり、それから前記基体は特定の色、パターン、デザインなどにジェット染色され、それから特定のラグ、エリアラグ、ランナーなどが、前記織物の染色されたカーペットから裁断される。
【００２７】
ラグまたはカーペットの背景色およびデザインまたはパターンを、図面の図１および図２に示されるように単一の工程で染色することが好ましいが、図３に示されるように本発明の他の実施形態によればカーペット基体が織られ、前記カーペットは例えば無地の背景色に染色され、それからパターンまたはデザインに染色されまたはプリントされ、それからラグに裁断される。その代わりに、染色されていない織物基体がそれに防染剤を有する染色により適用されたパターンを有することができ、かつ背景シェードがオーバーフローアプリケーターによって線状に適用され、または背景シェードが“ベック染色”アプリケーターにおける分離された工程として適用されることができる。
【００２８】
もしも、最終製品が例えばエリアラグであれば、接着、裁縫、またはさもなければ、それに対する縁飾りを取り付けることにより縁取り、リブ付け、パイプ付けまたは波付けを適用することができる。
【００２９】
図面の図４を参照すれば、そこには５×７織りパターンおよび前記織りパターンとは独立の１０×１０ＤＰＩプリントパターンが示されている。
【００３０】
図面の図５に示されるように、際限のない種類のエレメント、例えば織物基体１０上のエリアラグデザインまたはパターン１２、１４、１６、１８が単一片の織物カーペット基体またはベース上に作られることができる。これは、プロセスの有効性を最大化し、コストを最小化し、かつ特注を提供し、そこでは製造者、デザイナーなどが機械装置を停止することなく、まさに次々と多数の異なる顧客から１つまたはそれより多くの品目についての注文が提供されることができる。
【００３１】
図面の図６を参照すると、その上にプリントまたは染色されたデザイン２２を有するラグ、カーペット、エリアラグなどのような床張り材２０が示されている。
【００３２】
図面の図７を参照すると、その上にプリントされたデザイン３２および縁取りまたはボーダー３３を有するエリアラグまたはランナーのような床張り材３０が示されている。ラグ３０上に縁取りまたはフレーム状のボーダー３３をプリントし、そして充分な幅のボーダーを作ることによって、製造者は顧客が、デザインがわずかに見当を外れているかどうか、または裁断がその意図された位置をわずかにはずれているかどうかに注意を取られないようにデザインおよび裁断設備の見当合わせにおけるわずかのバリエーションに適応することができる。
【００３３】
本発明によれば、パターン、デザインなどがジェット染色プロセスまたは転写印刷、シルクスクリーン印刷および輪転機印刷などを含むが、これに限らない他のいずれかの二次的または後のパターン適用プロセスによって、織物カーペットに対して適用され、ここでカーペットにおけるヤーンが全て白色（染色が施されていない）、またはヤーンが化学的に処理され、またはヤーンが単一色または多色に予め染色される。織物カーペットは、いずれかの従来の機織りプロセスまたは手織りプロセス、例えばウィルトン、アクスミンスター、スプール、スプールグリッパーおよびシュニールの織機、ハンドガンタフト化、または他のいずれかの方法またはカーペットを織る方法によって作られ得る。
【００３４】
本発明の他の実施形態によれば、サイザル状の外観を有し（図１、図２および図１２の（ａ）参照）、染色されていない（全て白色の）織物カーペットが提供され、そして染色後技術を用いて、それに対してパターンが適用される（種々のデザイン／モチーフ要素）（図８、図９および図１２の（ｂ）〜（ｆ））。
【００３５】
方法論：
ａ）織物カーペット基体の構造は、発明の精神を侵すであろう、ここに配置されていない他の方法を除外することなく、次の方法のいずれかにおいて達成される。前記カーペット基体は、多種類の織物技術、例えばこれに限らないウィルトン織機、アクスミンスター織機、スプール織機、手織り機、タフト化設備または織物カーペット製品（図１０の（ａ）、（ｂ）、図１１の（ａ）〜（ｄ）、図１３の（ａ）、（ｂ）および図１４の（ａ）参照）を作る他のいずれかの方法を用いて作られることができる。製造されるカーペットは、天然のサイザル、ラフィア、草、または他の天然のバスケットタイプの織物に似ている。ワープとウェフトの構造は、これに限らないが、“平織りされた”ループタイプ構造（図８、図９および図１６）とすることができる。
【００３６】
ｂ）繊維およびヤーンの構成成分、すなわちワープ、ウェフトおよびフィラーヤーン（図１０の（ａ）、（ｂ）図１３の（ａ）、（ｂ）および図１４の（ａ）参照）は、天然、合成、または混合のようなもののみならず、例えばいずれの組み合わせまたは混合において、ウール、ナイロン、コットン、ポリプロピレンのいずれのタイプからでも構成されることができる。
【００３７】
ｃ）繊維またはヤーンは、色付け染色がそれらに施されるときにそれらに異なって振る舞わせるべく化学的にまたは物理的に処理されてもよく、例えば２つのヤーンが織物に使用され、かつ１つのヤーンは他方よりも色染料に対してわずかに抵抗させるように化学的に処理され（図１４の（ａ）参照）、それによって処理されていないヤーンとは異なる暗度を生成する。これらの白色、染色されていないヤーンは、それから種々のディザ化されかつ離散した組み合わせにて織られ、それは染色が一次パターン（図１４の（ｂ）参照）を作成するために施されたときに全体的に識閾下または二次的なパターン効果を生成する。
【００３８】
ｄ）前もしくは後の流体染色、またはオーバーフローアプリケーターは、またパターンの適用の前または後いずれかに色あせを生じさせるために前述の方法論のいずれかと組み合わせて用いることができる。一例は、ティーステイン効果であろう。
【００３９】
ｅ）最後に、ａ）、ｂ）、ｃ）またはｄ）のどんな組み合わせでもあり得る製品は、限定されない直接または間接的なジェット染色、スクリーン印刷、輪転機印刷、熱転写のような後染色プロセス、またはカーペットにパターンを適用（図１〜図９参照）し、かつ種々のデザインまたはパターンスタイルがヤーンに適用される他のいずれかの後染色プロセスに供される。
【００４０】
ｆ）この方法論は、ブロードルームカーペット、エリアラグ、アクセントラグ、バスマット、ドアマット、カーペットタイルなどを生成するために用いられる。
【００４１】
ｇ）エリアラグ、アクセントラグ、およびバスマットに作り込まれるサイザル状製品の場合における仕上げにおいて、二次裏張りは非スキッドおよび洗濯可能品質のような特定の属性を製品に与える限定されるわけでないようなゴムまたはラテックスタイプに適用される。
【００４２】
古い手法：
従来の方法によるパターン化されたサイザル製品の達成の方法は、サイザルカーペットまたはラグを手塗りすること、またはサイザル織り内に非常に限定された色を許容させる織機に限定された色巻糸軸架を使用することであった。
【００４３】
新しい手法の利点：
大量生産の経済、新製品開発のスピード、市場への配達、より信頼できる品質および再現性、並びにスタイルと提供のより大きな多様性である。
【００４４】
換言すれば、サイザルマット、カーペットおよびラグが織られる従来の手または機械は、アクリル絵の具にて手塗り、またはその上にイメージを生成すべく限定された色巻糸軸架によって作られる。
【００４５】
本発明の一つのコンセプトは、いくつかの種類の織機上でサイザル状カーペットを織ることであり、前記サイザル状カーペットはいずれかの後染色可能なヤーンまたは繊維タイプを用いて織られ、それは非染色（白色）ヤーンで織られて、それからパターン／デザインがジェット染色または他の後染色パターン適用プロセスを用いて適用される。
【００４６】
本発明の他のコンセプトは、サイザル状の織物製品上に種々のデザイン要素を配置することである。
【００４７】
本発明は、大量生産を通して達成可能な経済と配達を最大化することができる。
【００４８】
本発明は、種々の織物構成、ヤーン、繊維および染料を支持する。
【００４９】
１つの実施例によれば、カーペット基体はウィルトン織機で織られ、かつミリトロンジェット染色または印刷機を用いて染色される。
【００５０】
本発明の一つの実施形態によれば、機械または手織り天然繊維マットまたはラグが、シミュレートされる。シミュレートされる天然繊維製品のなかには、ジュート繊維、ヤシ繊維、ピート、サイザル、コットン、カポック、紙、ココナツ繊維、木材繊維などがある。
【００５１】
本発明の製品は、織られ、屋根にふされ、織り合わされるなどのデザインまたはパターンを提供することができる。
【００５２】
本発明における一つの実施形態のコンセプト
織られかつサイザル状の織りを有するカーペットを作るために、この織られたカーペットは、白色（非染色）カーペットとしてスタートする。それは、種々のヤーンおよび繊維、すなわち種々の組み合わせにおけるナイロン、ウールまたは他のいずれかの後染色可能な繊維を有していてよく、それは種々のフィラーヤーン、すなわち種々の組み合わせにおけるジュート、コットン、ポリプロピレンを有していてよい。それは、表面織り、すなわち差別的染色されたヤーンを作るために組み合わせて使用される種々のヤーン／繊維を有していてよい。これらは、それらが互いに異なって染色を受けるように異なる方法で処理されるヤーンである。これは、同一の色の染色が差別的なヤーンに適用されるときに（図１４の（ａ），（ｂ）参照）、異なる外観を作ることができる。
【００５３】
サイザル状カーペットは、それからその非染色状態で採用され、そしてジェット染色、またはインクジェット印刷、スクリーン印刷、輪転機印刷および熱転写印刷含むが、これに限定されない他のいずれかの種類の後染色／後パターニングの適用に供される。これらの方法のいずれかを用いて、カーペットはプロセスを通して移送され、種々の色およびスタイルおよびモチーフのパターンがそれに適用される。前記モチーフおよびスタイルは、花、葉、装飾、幾何学的デザイン（図８、図１２の（ｂ）〜（ｆ）参照）を含むかもしれないが、これに限らない。
【００５４】
このプロセスの１つのバリエーションは、次であってもよい：
ａ．パターンを適用するのに先立って、後染色アプリケーターによって背景暗度を適用すること。
【００５５】
ｂ．パターンを作成するための防染染料を使用し、それから前記パターンが適用された後に後染色アプリケーターによって重ね染色すること。
【００５６】
ｃ．彩色を適用すること（すなわち、パターンが適用された後に、“ティーウォッシュまたはアンチーク化”外観を与えるために適用される弱い染色）。
【００５７】
定義：
サイザル状織り：カーペットの織り（すなわち、ワープおよびウェフトの構造）は、天然サイザル、ラフィア、草および織られたマットおよびラグおよびブロードルーム（図８、図９、および図１２の（ａ））の種々の織物と似ているループおよびループの列を作るように調整され、大量生産織機上で織られるカーペットと等化する。ヤーンは、溶液染色ヤーン、染色されたヤーンなどのいずれか１つであってもよく、カーペットは織物または複製絵画タフトであることもできる。
【００５８】
古い方法：
手織りまたは機械織りサイザルのいずれかに対してパターンを適用する方法のみは、アクリル絵の具を用いる手塗り、または織物サイザルにおいて非常に限られた色を許可する織機上で限定された色の巻糸軸架を使用することである。
【００５９】
本発明の一つの実施形態によれば、サイザル状白色織物基体は２つ撚りのヤーン（２／５６はオンスに対して５６ヤードを意味する）、ウール１００％、ナイロン１００％または他の後染め可能な合成のヤーン、ナイロン８０％、ウール２０％などで形成され、かつ７×４．５、７×５、７×６、７×７、７×８、７×９、７×１０、７×１２などの織り構造を有しており、そして最終効果を生成するために染色されまたはプリントされ得る（重ね染色または重ねプリントされた）白色ヤーンまたは無地色ヤーンからの織物であってもよい。例えば白色ヤーンが白色織物カーペット基体を製造するために使用されるとき、ラグの背景色はもしもその色が白色でないならば、デザインまたはパターンに沿ってプリントされる。また、もしも前記ヤーンが染色されまたは彩色されたヤーン（溶液染色され、ヤーン染色され、自然に色付けられたなど）であるならば、デザインまたはパターンがその上にプリントされるが、背景色はヤーンそれ自体により既に作られている。
【００６０】
図面の図１について、かつ本発明の一つの実施形態によって、サイザル状のカーペット基体は織物であり、このカーペット基体は選択された断片、タイルなどに裁断され、それから前記裁断された断片の各々は染色されまたはプリントされる。
【００６１】
図面の図２を参照し、かつ本発明の他の実施形態によって、サイザル状のカーペット基体は織物であり、それから前記基体は特定の色、パターン、デザインなどにジェット染色され、それから特定のラグ、エリアラグ、ランナーなどが前記織物の染色されたカーペットから裁断される。
【００６２】
ラグまたはカーペットの背景色およびデザインまたはパターンを単一の工程で染色することが好ましいけれども、図３に示されるように本発明の他の実施形態によれば、サイザル状のカーペット基体が織られ、前記カーペットは例えば無地の背景色に染色され、それからパターンまたはデザインに染色されまたはプリントされ、それからラグに裁断される。その代わりに、染色されていない織物基体が、それに防染剤を有する染色により適用されたパターンを有することもでき、それから背景暗度がオーバーフローアプリケーターによって線状に適用され、または背景暗度が“ベック染色”アプリケーターにおける分離された工程として適用され得る。
【００６３】
もしも、最終製品が例えばエリアラグであれば、接着、裁縫、またはさもなければそれに対する縁飾りを取り付けることにより縁取り、リブ付け、パイプ付けまたは波付けを適用することができる。
【００６４】
図面の図４を参照すれば、そこには５×７織りパターンおよび前記織りパターンとは独立の１０×１０プリントパターンが示されている。
【００６５】
図面の図５に示されるように、際限のない種類のエレメント、例えばサイザル状織物基体１０上のエリアラグデザインまたはパターン１２、１４、１６、１８が、単一片の織物カーペット基体またはベース上に作られ得る。これは、プロセスの有効性を最大化し、コストを最小化し、そして特注を提供し、そこでは製造者、デザイナーなどが機械装置を止めることなく、まさに次々と、多数の異なる顧客から１つまたはそれより多くの品目についての注文が提供され得る。
【００６６】
図面の図６を参照すると、その上にプリントされまたは染色されたデザイン２２を有するラグ、カーペット、エリアラグなどのような床張り材２０が示されている。
【００６７】
図面の図７を参照すると、その上にプリントされたデザイン３２および縁取りまたはボーダー３３を有するエリアラグまたはランナーのような床張り材３０が示されている。ラグ３０上に縁取りまたはフレーム状のボーダー３３をプリントし、そして充分な幅のボーダーを作ることによって、製造者は顧客が、デザインがわずかに見当を外れているか、または裁断がその意図された位置をわずかにはずれているか、注意を取られないようにデザインおよび裁断設備の見当合わせにおけるわずかのバリエーションに適応することができる。
【００６８】
本発明の一つの実施形態によれば、パターン、デザインなどがジェット染色プロセス、または、転写印刷、シルクスクリーン印刷および輪転機印刷などを含むが、これに限らない他のいずれかの二次的または後のパターン適用プロセスによって、サイザル状の織物カーペットに対して、適用され、ここでカーペットにおけるヤーンが全て白色（染色が施されていない）、またはヤーンが化学的に処理され、またはヤーンが単一色または多色に予め染色される。織物カーペットは、いずれかの従来の機織りプロセスまたは手織りプロセス、例えば、ウィルトン、アクスミンスター、スプール、スプールグリッパーおよびシュニールの織機、ハンドガンタフト化、または他のいずれかの方法またはカーペットを織る方法によって作られ得る。
【００６９】
図面の図１４の（ａ），（ｂ）を参照すれば、本発明の一つの実施形態によって、織物状のカーペット製品はそれに続く染色により、最終的なカーペット製品が織物カーペットの外観をそれに与える繊細なカラーバリエーションを有するように、選択されたヤーンまたはヤーンエリアを種々の化学的または物理的処理で処理することによって生成されてもよい。例えば、全白色カーペット基体（織物、張り合わされた、またはタフト化された）は、パターン形成されまたはそれに続くカーペット基体の染色により、カーペットにおける異なるヤーンまたは異なるエリアの間にカラーバリエーションが生成されるように、染色の色に特定パーセントの抵抗を有する薬剤で処理される。他の実施形態によれば、あるヤーンは明るい色の繊維とくすんだ色の繊維が混合されていてもよく、または他のヤーンよりもより高い撚りを有していてもよく、それによってカーペット基体内の他のヤーンとは異なる染色の色を提供する。第３の実施例によれば、カーペット基体は染色されたパターンまたはデザインにおけるカラーバリエーションを作り出するために、明るい色の繊維のヤーン、くすんだ色の繊維のヤーン、混合された繊維のヤーン、低い撚りのヤーン、そして高い撚りのヤーンで作られる。本発明のさらにその他の実施例によれば、カーペット基体はそれに織物のような外観を与える繊細なカラーバリエーションを有する染色されたカーペット製品を製造するために、化学的に処理され、物理的に処理され、および／または明るい色の繊維、くすんだ色の繊維、明るい色の繊維とくすんだ色の繊維の混合、撚られたヤーン、撚られていないヤーンなどから構成される。パターンまたはデザインは、それから繊細なカラーバリエーションまたは背景配色の上に被せられる。
【００７０】
図１４の（ａ）における図解は、典型的には全白色であるカーペット基体における異なるヤーン、化学的処理などによって作られるランダムタイプのパターンを表現するために、単に異なる暗度または色を使用している。ヤーンまたは化学的処理におけるバリエーションは、パターン、デザインまたは色の後染色適用の後に、通常、視認可能となるだけであり、そしてそれからカーペット全体に繊細な効果を視覚化することができるであろう。
【００７１】
それゆえ、本発明によれば織物のような様子の、サイザルのような様子の、繊細なカラーバリエーションなどを製造することができる。
【００７２】
本発明の他の１つの実施形態によれば、本発明のラグ、エリアラグ、マットなどは、洗濯可能な、スキッド防止の、スリップしない、クリープしないなどの裏打ち、ベースまたは下部表面を有する。例えば、洗濯可能なラテックス裏打ち材料はカーペットの背面にスプレー塗装され、ローラー塗装され、ナイフ塗装などされてよい。それに代えて、スプレーすること、塗装することなどによって、ゴム裏打ちが施されてもよく、またはゴムのシートまたは層が接着剤を用いてまたはゴムシートに対してカーペットを加硫することにより施される。
【００７３】
本発明の他の実施形態によれば、カーペット、ブロードルームカーペット、ラグ、マット、エリアラグなどが、ジェット染色されたデザイン、パターン、色などで織物ベースをその上に持つように思われる。
【００７４】
米国特許第６，１６２，７４８号（参照してここに組み込まれた）に記述されているように、織物表面フォーム背面床被覆は、織物の上部層と樹脂、フォーム、接着剤、および被服材料の下側裏打ち層を含んでいてもよい。本発明によれば、織物の上部層は、ジェット染色またはパターン付けされていてもよい。
【００７５】
各々参照してここに組み込まれている、米国特許第４，５２２，８５７号、米国特許第５，５４０，９６８号および米国特許第６，２０３，８８１号、に記述されているように、安定化クッション裏打ちカーペットタイルは、少なくとも一次カーペット層、接着層、安定化層、およびフォーム層を含んでいる。
【００７６】
本発明の他の１つの実施例によれば、上述の米国特許第４，５２２，８５７号、米国特許第５，５４０，９６８号および米国特許第６，２０３，８８１号に記述されているように、カーペットタイル基体または複合物を形成するために、織物または織物状の外観の、カーペットまたは基体は、安定化フォーム裏打ち層に、弾力のあるホットメルト接着剤のような接着剤により接合される。図面の図１および図２に関して、織物または織物状外観のカーペットタイル基体または複合物は、カーペットタイル複合物がタイルに裁断される前または後に染色されてもよい。
【００７７】
発明は、特定の好ましい実施形態および手順と関連付けて記述されかつ開示されているので、発明をそのような特定の実施形態および手順に限定することは断じて意図していない。むしろ、発明の精神および視野の範囲内に該当するであろうような全ての代替的実施形態、手順、それに対する変更をカバーすることを意図している。
【００７８】
もちろん、いくつかの潜在的に好ましい実施形態が示されかつ記述されていると同時に変更はなされてよく、そしてこの発明の原理の他の実施形態がこの発明が属する当業者には、生ずるであろうから、発明はいかなる意味においてもそれに限定されないことが認められるべきである。それゆえ、その真の精神および視野の範囲内のこの発明の特徴に関連するそのようないかなる変更および他の実施形態を含むために付随された請求の範囲によって熟視される。
【図面の簡単な説明】
【図１】
本発明のプロセスの一つの実施形態を示す概略図。
【図２】
本発明のプロセスの他の実施形態を示す概略図。
【図３】
本発明のプロセスの他の実施形態を示す概略図。
【図４】
異なる織りおよびプリントパターン、例えば５×７織りおよび織りパターンとは独立のプリントパターンによる１０×１０ＤＰＩプリントを示す概略図。
【図５】
織物カーペットがその長さにわたって一定の織り構造を有するけれども、その上に異なる方向性においてデザインがプリントされた織物カーペット基体（ベース）の長さを示す概略図。
【図６】
本発明によってプリントされたパターンを有する一片のカーペットまたはエリアラグを示す概略図。
【図７】
その上にプリントされたパターンを有し、かつ織物基体からラグのデザイン対裁断の登録におけるわずかのバリエーションを提供するためにその上にプリントされたフレーム状のボーダーを含むエリアラグまたはカーペットを示す概略図。
【図８】
サイザル状織物、パターン形成されたカーペット、ラグなどの写真状の平面図。
【図９】
図８に示された通りのサイザル状製品の拡大された写真状の図。
【図１０】
カーペット構造を示し、（ａ）はループパイル織物基体の概略側面図，（ｂ）はカットパイル織物製品の概略斜視図。
【図１１】
カーペット構造を示し、（ａ）はカットパイルタフト化基体の概略斜視図、（ｂ）は平らなループパイル基体の概略側面図、（ｃ）はカットおよびループパイル基体の概略斜視図、（ｄ）はカットパイル基体の側面図。
【図１２】
サイザル状カーペット基体を示し、（ａ）は非染色サイザル状カーペット基体の写真状の平面図、（ｂ）〜（ｅ）はそれぞれ（ａ）の基体から作られるパターンが形成されたサイザル状製品の写真状の平面図、（ｆ）は（ｅ）のパターン形成されたサイザル状製品の拡大された写真状の平面図。
【図１３】
カーペット構造を示し、（ａ）はループパイル織物基体の概略側面図，（ｂ）はカットパイル織物製品の概略斜視図。
【図１４】
カットパイル織物製品を示し、（ａ）はカットパイル織物製品の概略斜視図、（ｂ）は（ａ）の基体から製造されるパターン形成された製品の一つの実施例の写真状の平面図。
【図１】
2004509667.tif 000002
【図２】
2004509667.tif 000003
【図３】
2004509667.tif 000004
【図４】
2004509667.tif 000005
【図５】
2004509667.tif 000006
【図６】
2004509667.tif 000007
【図７】
2004509667.tif 000008
【図８】
2004509667.tif 000009
【図９】
2004509667.tif 000010
【図１０】
2004509667.tif 000011
【図１１】
2004509667.tif 000012
【図１２】
2004509667.tif 000013
【図１３】
2004509667.tif 000014
【図１４】
2004509667.tif 000015
【国際公開パンフレット】
2004509667.tif 000016
2004509667.tif 000017
2004509667.tif 000018
2004509667.tif 000019
2004509667.tif 000020
2004509667.tif 000021
2004509667.tif 000022
2004509667.tif 000023
2004509667.tif 000024
2004509667.tif 000025
2004509667.tif 000026
2004509667.tif 000027
2004509667.tif 000028
2004509667.tif 000029
2004509667.tif 000030
2004509667.tif 000031
2004509667.tif 000032
2004509667.tif 000033
2004509667.tif 000034
2004509667.tif 000035
2004509667.tif 000036
2004509667.tif 000037
2004509667.tif 000038
2004509667.tif 000039
2004509667.tif 000040
2004509667.tif 000041
2004509667.tif 000042
2004509667.tif 000043
2004509667.tif 000044
2004509667.tif 000045
2004509667.tif 000046
2004509667.tif 000047
2004509667.tif 000048
2004509667.tif 000049
【国際公開パンフレット（コレクトバージョン）】
2004509667.tif 000050
【国際調査報告】
2004509667.tif 000051
2004509667.tif 000052
2004509667.tif 000053
2004509667.tif 000054
2004509667.tif 000055